(57)【要約】【課題】  ファイリング等の要求から、不定型サイズの用紙を定型サイズに効率よく裁断することが可能な画像形成装置を提供する。【解決手段】  定型サイズ用紙を収容する給紙トレイ５と、不定型サイズ用紙を給紙可能な手差しトレイ６と、手差しトレイ６に搭載する用紙サイズを設定する操作手段１９と、手差しトレイ６に不定型サイズ用紙が搭載され、操作手段１９によりそのサイズが設定され、画像形成が開始された場合に、搭載された用紙よりも小さいサイズの定型サイズの位置に定型サイズ位置を示すマークを付加して画像形成を行うマーク付加機能を有する画像形成手段２２及びこれを制御する制御手段１３とを備えた。【選択図】        図３
2005189543.tif 000002
【特許請求の範囲】
【請求項１】
定型サイズ用紙を収容する給紙トレイと、不定型サイズ用紙を給紙可能な手差しトレイと、手差しトレイに搭載する用紙サイズを設定する操作手段と、手差しトレイに不定型サイズ用紙が搭載され、操作手段によりそのサイズが設定され、画像形成が開始された場合に、搭載された用紙よりも小さいサイズの定型サイズの位置に定型サイズ位置を示すマークを付加して画像形成を行うマーク付加機能を有する画像形成手段と画像形成手段を制御する制御手段とを備えたことを特徴とする画像形成装置。
【請求項２】
請求項１に記載の画像形成装置において、マークで示される定型サイズの領域内にのみ画像形成を行うことを特徴とする画像形成装置。
【発明の詳細な説明】
【技術分野】
【０００１】
本発明は、複写機、ファクシミリ、レーザープリンタ、これらの機能を複合的に併せ持つデジタル複写機等の画像形成装置に関し、特に、定型サイズの用紙を搭載、給紙可能な給紙トレイと、他に不定型サイズの用紙を給紙可能な手差しトレイを有する画像形成装置に関する。
【背景技術】
【０００２】
従来、複写機、プリンタ等の画像形成装置においては、装置本体に、連続複写を行うために通常１００枚〜５００枚程度の用紙を搭載可能な給紙トレイ（本体給紙トレイ）を持っているのが一般的である。また、頻繁に使用する用紙のサイズ、種類が１種類とは限らないので、複数の給紙トレイを用意するのが一般的である。
上記のように、複数の給紙トレイを持っていたとしても、一時的に各給紙トレイにセットされた用紙とは異なった種類の用紙に対し、複写、あるいはプリントを実行したいという要求が発生することが想定される。上記の要求に対し、一般的には、給紙トレイとは別に、手差し給紙装置を設けることが行われている。
また、本体給紙トレイでは一般的にはセットされた用紙のサイズが判別可能なように定型サイズの用紙のみ搭載可能なように設定されている場合が多く、不定型サイズの用紙に対する複写要求は手差し給紙装置により実現している場合が多い。不定型サイズの用紙を本体給紙トレイでも給紙可能なようにする場合もあるが、一般的でないため、詳細を説明しない。また、手差し給紙装置は、不定型サイズへの要求のみでなく、厚紙、ＯＨＰ用紙、封筒、葉書等の給紙要求に応えるために用意されている場合も多い。
用紙を給紙搬送し、適切な位置に画像を形成するためには、ソフトウェアにより用紙のサイズが判明していなければならない。そのため、操作者に操作部より使用する用紙の縦横サイズを入力してもらうようにしている場合がある。また、例えば特許文献１においては、手差しトレイに用紙をセットした時点で用紙のセットガイド板の位置等により、用紙のサイズを自動的に検出する方法が提案されている。また、特許文献２〜５には、不定型サイズの用紙、手差しに関する先行技術がある。
【特許文献１】特開平０７−０６１０８６号公報
【特許文献２】特開平０８−２４０９９４号公報
【特許文献３】特開平０９−０６８８９４号公報
【特許文献４】特開平０９−１６８０６７号公報
【特許文献５】特許第２６７４９８４号
【発明の開示】
【発明が解決しようとする課題】
【０００３】
上記のように、仮に不定型サイズの用紙であっても、手差しトレイに不定型サイズの用紙を搭載し、不定型サイズの用紙への画像形成が可能となってくると、画像形成の結果、出力された用紙を適切にファイリングしたいという要求が発生する場合がある。
しかし、不定型サイズの用紙の場合、ファイリングする際に用紙サイズが揃っていないことにより、ファイルした結果の検索を行う際に非常に利便性が悪いという問題が発生する。
検索の利便性を向上させるためには、不定型サイズの用紙を定型サイズに裁断し、用紙サイズを揃えてからファイリングすればよいが、定型サイズを計測し正確に裁断するのは、多大な労力を要することとなる。ファイリングを考慮した場合、最初から定型サイズの用紙を使用すれば、上記のような労力は発生しないが、不定型サイズの用紙のみしか用紙のストックが無い場合も考えられる。
本発明の目的は、ファイリング等の要求から、不定型サイズの用紙を定型サイズに効率よく裁断することが可能な画像形成装置を提供することを目的とする。
【課題を解決するための手段】
【０００４】
上記目的を達成するために、請求項１記載の発明は、定型サイズ用紙を収容する給紙トレイと、不定型サイズ用紙を給紙可能な手差しトレイと、手差しトレイに搭載する用紙サイズを設定する操作手段と、手差しトレイに不定型サイズ用紙が搭載され、操作手段によりそのサイズが設定され、画像形成が開始された場合に、搭載された用紙よりも小さいサイズの定型サイズの位置に定型サイズ位置を示すマークを付加して画像形成を行うマーク付加機能を有する画像形成手段及びこれを制御する制御手段とを備えた画像形成装置を最も主要な特徴とする。
請求項２記載の発明は、請求項１に記載の画像形成装置において、マークで示される定型サイズの領域内にのみ画像形成を行う画像形成装置を主要な特徴とする。
【発明の効果】
【０００５】
本発明では、定型サイズ用紙を収容する給紙トレイと、不定型サイズ用紙を給紙可能な手差しトレイと、手差しトレイに搭載する用紙サイズを設定する操作手段と、手差しトレイに不定型サイズ用紙が搭載され、操作手段によりそのサイズが設定され、画像形成が開始された場合に、搭載された用紙よりも小さいサイズの定型サイズの位置に定型サイズ位置を示すマークを付加して画像形成を行うマーク付加機能を有する画像形成手段及びこれを制御する制御手段とを備えたので、ファイリング等の要求から、不定型サイズの用紙を定型サイズに効率よく裁断することが可能となる。
【発明を実施するための最良の形態】
【０００６】
以下、本発明の実施形態を図面に従って説明する。
図１は本発明の実施形態に係る画像形成装置の全体構成図である。装置本体１の上に自動原稿給紙ユニット２があり、装置本体１の下にオプション給紙トレイ３があり、装置本体１の側面に後処理ユニット４がある。装置本体１は、本体給紙トレイ５と手差しトレイ６を有している。
図２は本発明の実施形態に係る画像形成装置の外観側面図である。手差しトレイ６は通常、図２（ａ）の様に装置本体１に収納されており、使用時のみ図２（ｂ）のように倒して開放する。
図３は本発明の実施形態に係る画像形成装置の機能ブロック図である。画像入力部１１は原稿サイズ検知センサ１２を有する。制御部１３は、メモリ１４、ＣＰＵ１５、画像処理部１６を有する。手差し部１７は用紙サイズ検知センサ１８を有する。操作部１９は表示部２０、設定部２１を有する。符号２２は画像形成部である。
図４は表示部の表示例を示す図である。手差しトレイ６に用紙をセットし、複写を行う場合、図４に示すように表示部２０の画面上の指示により、使用する用紙のサイズの縦横サイズを各々入力するようにしている。特に不定型サイズについては用紙サイズの入力が必要となる。制御部１３のＣＰＵ１４はソフトウェアによって設定結果に応じて、手差し部１７より給紙されようとしている紙サイズを間接的に認識することができる。
本発明を実現するために、制御部１３（のＣＰＵ１４）は、上記で設定された不定型用紙のサイズに対し、小さいサイズの定型サイズの大きさを演算により求める演算機能が用意されている。
そして画像形成部２２は、その演算結果に基づいて、画像入力部１１（例えば、スキャナ部）より入力された画像データに対し、用紙の定型位置に相当する部分に識別マークのデータを付加する機能を持っている。
【０００７】
以下、その動作をさらに具体的に説明する。
図５は不定型サイズの用紙から定型サイズの画像を裁断する様子を示す図である。操作者が、手差し部１７（手差しトレイ６）に図５に示すような不定型の用紙（例えば、縦：２５０ｍｍ、横：３２０ｍｍ）を搭載し、操作部１９の表示部２０より搭載した不定型用紙のサイズを設定し、画像形成動作をスタートさせると、制御部１３のＣＰＵ１５は上記のサイズ設定結果により、不定型サイズよりも小さいサイズの定型サイズを選択する（この場合、Ａ４サイズを選択）。
制御部１３の画像処理部１６にて、画像入力部１１より入力された画像データに対し、不定型サイズ端部の定型サイズの位置に識別マークを付加した画像データを生成する。また他の実施例の場合、さらに定型サイズ内のみに画像形成を行うようにする。その結果、図５に示すように、不定型サイズの用紙の定型サイズを示す位置にマークが付加された画像形成が行われる。
操作者から、出力された用紙をファイリング等の目的により裁断したいという要求があった場合に、出力用紙に付加されて形成されているマークをガイドにして裁断することにより、定型サイズを計測し、マーキングするような煩雑な作業を実施する必要が無くなるので、作業効率が向上することになる。
また、定型サイズの範囲外には画像形成されていないため、裁断する際に、視覚的に裁断部分を認識しやすくなるという効果が生まれる。さらに、裁断され破棄される部分には余分な画像が形成されないため、無駄なトナー消費を抑える効果がある。
【図面の簡単な説明】
【０００８】
【図１】本発明の実施形態に係る画像形成装置の全体構成図。
【図２】本発明の実施形態に係る画像形成装置の外観側面図。
【図３】本発明の実施形態に係る画像形成装置の機能ブロック図。
【図４】表示部の表示例を示す図。
【図５】不定型サイズの用紙から定型サイズの画像を裁断する様子を示す図。
【符号の説明】
【０００９】
４  後処理ユニット（後処理手段）
５  本体給紙トレイ
６  手差しトレイ
１３  制御部（制御手段）
１９  操作部（操作手段）
２２  画像形成部（画像形成手段）
【図１】
2005189543.tif 000003
【図２】
2005189543.tif 000004
【図３】
2005189543.tif 000005
【図４】
2005189543.tif 000006
【図５】
2005189543.tif 000007